(57)【要約】【課題】クロスフィンアンドチューブ型熱交換器における除霜運転時の霜の滑落を促進させて除霜時間を短縮することができる冷凍装置を提供すること。【解決手段】空気調和装置は、プレートフィン３と垂直方向に配列される複数段の熱交換パイプ５とを有するクロスフィンアンドチューブ型熱交換器２を室外側熱交換器として用いて構成されている。室外側熱交換器２のプレートフィン３における空気流の入口側端部を、断面形状が略三角形状の突部６を垂直方向に多数配列してなる波型形状とする。【選択図】      図１
2006046698.tif 000002
【特許請求の範囲】
【請求項１】
フィンと垂直方向に配列される複数段の熱交換パイプとを有するクロスフィンアンドチューブ型熱交換器を用いて構成され、前記熱交換器を蒸発器として動作させたときに付着した霜を除去する除霜運転を行う冷凍装置において、
前記熱交換器のフィンにおける空気流の入口側端部は、断面形状が略三角形状の突部を垂直方向に多数配列してなる波型形状であることを特徴とする冷凍装置。
【請求項２】
前記略三角形状の突部は、前記熱交換パイプごとに対応して形成されており、各突部における２つの傾斜面は、上側の傾斜面の長さが下側の傾斜面よりも大きくなるように形成されていることを特徴とする請求項１記載の冷凍装置。
【請求項３】
前記略三角形状の突部は、前記熱交換パイプの段ピッチに対して複数個含まれるように形成されており、各突部における２つの傾斜面の長さがほぼ等しくなるように形成されていることを特徴とする請求項１記載の冷凍装置。
【請求項４】
前記フィンに滑水性及び撥水性を有する表面処理が施されていることを特徴とする請求項１〜３のいずれか１項に記載の冷凍装置。
【請求項５】
前記フィンは、ワッフルフィンであることを特徴とする請求項１〜４のいずれか１項に記載の冷凍装置。
【請求項６】
前記熱交換器は、前記フィンにおける熱交換パイプ列の熱交換パイプ間に形成された孔を有することを特徴とする請求項１〜５のいずれか１項に記載の冷凍装置。
【請求項７】
前記孔は、各熱交換パイプの中心を通る中心線上に形成されていることを特徴とする請求項６に記載の冷凍装置。
【請求項８】
前記孔は、垂直方向に延びる長方形孔であることを特徴とする請求項６又は７記載の冷凍装置。
【請求項９】
フィンと垂直方向に配列される複数段の熱交換パイプとを有するクロスフィンアンドチューブ型熱交換器を用いて構成され、前記熱交換器を蒸発器として動作させたときに付着した霜を除去する除霜運転を行う冷凍装置において、
前記熱交換器のフィンにおける空気流の入口側端部に、除霜運転時に霜の滑落を促進する滑落促進機構を有することを特徴とする冷凍装置。
【発明の詳細な説明】
【技術分野】
【０００１】
本発明は、フィンと垂直方向に配列される複数段の熱交換パイプとを有するクロスフィンアンドチューブ型熱交換器を用いて構成され、前記熱交換器を蒸発器として動作させたときに付着した霜を除去する除霜運転を行う冷凍装置に関する。
【背景技術】
【０００２】
一般的に、熱交換器を蒸発器として動作させる冷凍装置では、熱交換器と熱交換を行う空気の温度が低い場合や蒸発器での蒸発温度が低い場合に、熱交換器の熱交換面に霜が発生する。霜が発生すると熱交換器の熱交換能力が低下し、その結果、冷凍装置の冷凍能力も低下してしまう。
【０００３】
例えば、冷凍装置の一種であるヒートポンプ方式の空気調和装置では、暖房運転時に外気温度が低下すると蒸発器として動作している室外側熱交換器における蒸発温度が低下し、この室外側熱交換器に着霜する。着霜すると、室外側熱交換器の蒸発能力が低下し、その結果、空気調和装置の暖房能力が低下してしまう。そのため、空気調和装置では、室外側熱交換器に付着した霜を取り除くための除霜運転が適宜行われる。
【０００４】
図８は、除霜運転時の従来の熱交換器における除霜状態を示す模式図である。熱交換器４１は、プレートフィン４２と垂直方向に配列される複数段の熱交換パイプ４３とを有するクロスフィンアンドチューブ型熱交換器である。図８（ａ）に示すように、プレートフィン４２のほぼ全体に霜４４が付着すると、除霜運転を開始する。除霜運転によって霜４４が融解し始めると、図８（ｂ）に示すように、霜４４が下方に落ち始める。霜４４は、図８（ｃ）に示すように、プレートフィン４２における熱交換パイプ４３の上流側部位と下流側部位とを滑落していく。このようにして霜４４が滑落していくことによって、最終的には図８（ｄ）に示すように、霜４４がプレートフィン４２から取り除かれて除霜が完了する。
【０００５】
しかし、熱交換パイプ４３の上流側部位に付着している霜４４の量は下流側部位に比べて多いので、上方から滑落してくる霜４４は、図８（ｃ）に示すように、前方側（空気流の流通方向上流側）にせり出して堆積していく。そのため、下方部の霜４４が取り除かれないと上方部の霜４４は下方に滑落しないので、除霜時間が長時間になるという問題がある。
【０００６】
特許文献１には、除霜時間を短縮できる熱交換器が記載されている。特許文献１に記載されている熱交換器では、熱交換パイプが貫通されているフィンにおける端部が、熱交換パイプからほぼ均等な距離となるように、凹部と凸部とからなる波型形状に形成されている。この熱交換器では、熱交換パイプからフィン端部までの距離がほぼ同じになるので、除霜運転時の熱交換パイプからフィン端部への熱伝導がほぼ等しくなる。その結果、霜をほぼ均一に融解させることができるので、除霜時間を短縮することができる。
【特許文献１】特開平８−６１８７５号公報
【発明の開示】
【発明が解決しようとする課題】
【０００７】
特許文献１に記載されている熱交換器では、フィン端部の霜をほぼ均一に融解させることができるけれども、霜が残留するのを防止してフィン端部の霜を全て融解させるためには、除霜運転を長時間行って霜を融解させる必要がある。しかし、除霜運転を長時間行う場合は、その間は暖房を停止しなければならず、室内の快適性が長時間損なわれ、また除霜運転に必要なエネルギが増大するという問題がある。
【０００８】
本発明の目的は、クロスフィンアンドチューブ型熱交換器における除霜運転時の霜の滑落を促進させて除霜時間を短縮することができる冷凍装置を提供することにある。
【課題を解決するための手段】
【０００９】
請求項１記載の発明は、フィンと垂直方向に配列される複数段の熱交換パイプとを有するクロスフィンアンドチューブ型熱交換器を用いて構成され、前記熱交換器を蒸発器として動作させたときに付着した霜を除去する除霜運転を行う冷凍装置において、
前記熱交換器のフィンにおける空気流の入口側端部は、断面形状が略三角形状の突部を垂直方向に多数配列してなる波型形状であることを特徴とする冷凍装置である。
【００１０】
請求項２記載の発明は、前記略三角形状の突部は、前記熱交換パイプごとに対応して形成されており、各突部における２つの傾斜面は、上側の傾斜面の長さが下側の傾斜面よりも大きくなるように形成されていることを特徴としている。
【００１１】
請求項３記載の発明は、前記略三角形状の突部は、前記熱交換パイプの段ピッチに対して複数個含まれるように形成されており、各突部における２つの傾斜面の長さがほぼ等しくなるように形成されていることを特徴としている。
【００１２】
請求項４記載の発明は、前記フィンに滑水性及び撥水性を有する表面処理が施されていることを特徴としている。
請求項５記載の発明は、前記フィンは、ワッフルフィンであることを特徴としている。
【００１３】
請求項６記載の発明は、前記熱交換器は、前記フィンにおける熱交換パイプ列の熱交換パイプ間に形成された孔を有することを特徴としている。
請求項７記載の発明は、前記孔は、各熱交換パイプの中心を通る中心線上に形成されていることを特徴としている。
【００１４】
請求項８記載の発明は、前記孔は、垂直方向に延びる長方形孔であることを特徴としている。
請求項９記載の発明は、フィンと垂直方向に配列される複数段の熱交換パイプとを有するクロスフィンアンドチューブ型熱交換器を用いて構成され、前記熱交換器を蒸発器として動作させたときに付着した霜を除去する除霜運転を行う冷凍装置において、
前記熱交換器のフィンにおける空気流の入口側端部に、除霜運転時に霜の滑落を促進する滑落促進機構を有することを特徴とする冷凍装置である。
【発明の効果】
【００１５】
請求項１記載の発明によれば、熱交換器のフィンにおける空気流の入口側端部は、空気流上流側に向かって突出する断面形状が略三角形状の突部を垂直方向に多数配列してなる波型形状であるので、熱交換器が蒸発器として動作するとき、入口側端部での霜は、多数の突部にそれぞれ付着する。このように霜が付着しやすい入口側端部では、霜が多数の突部に分離して付着することになるので、霜がかたまって付着している場合に比べて、除霜運転時に霜が融解しやすくなる。また、略三角形状の各突部における上側の傾斜面は下方に向かって傾斜しているので、上方から滑落してきた霜を空気流上流側に向かって案内して滑落させることができる。このように、霜が融解しやすくなり、さらに傾斜面によって霜を案内して滑落させることができるので、スムーズに霜を滑落させることができ、除霜時間を短縮することができる。
【００１６】
請求項２記載の発明によれば、略三角形状の突部は熱交換パイプごとに対応して形成されると共に、突部における上側の傾斜面の長さが下側の傾斜面よりも大きくなるように形成されているので、上側の傾斜面を比較的長くすることができる。この形状では、滑落してくる霜を傾斜面に沿って案内する作用を強くすることができる。これによって、上方から滑落してくる霜を上側の傾斜面に沿ってスムーズに案内して滑落させることができるので、除霜時間を短縮することができる。
【００１７】
請求項３記載の発明によれば、２つの傾斜面の長さがほぼ等しい略二等辺三角形状の突部が熱交換パイプの段ピッチに対して複数個含まれるように形成されているので、比較的小さく形が均一な突部を多数形成することができる。この形状では、霜を分離して付着させる作用を強くすることができる。これによって、霜が解けやすくなり、除霜時間を短縮することができる。
【００１８】
請求項４記載の発明によれば、フィンに滑水性及び撥水性を有する表面処理が施されているので、除霜運転によって融解した霜を下方にスムーズに滑落させることができると共に、水滴も下方にスムーズに流下させることができる。これによって、霜や水滴が残留することを抑制してフィンの除霜を一層効率よく行うことができる。したがって、除霜時間を短縮することができる。
【００１９】
請求項５記載の発明によれば、ワッフルフィンにおける波型形状によって、融解した霜や水滴が下方に滑落・流下するのが促進されるので、霜や水滴が残留することを抑制してフィンの除霜を一層効率よく行うことができる。したがって、除霜時間を短縮することができる。
【００２０】
請求項６記載の発明によれば、フィンにおける熱交換パイプ間には孔が形成されているので、除霜運転時にはフィンにおける孔の周辺は他の部位に比べて温度が高くなる。したがって、除霜運転によってフィンに付着した霜が融解して下方に滑落していくとき、孔の周辺では霜が融解して分断される。つまり、熱交換パイプ間の霜は孔によって分断されて下方に滑落していく。これによって、熱交換パイプの上部に霜が残ることが抑制され、フィンの除霜を効率よく行うことができるので、除霜時間を短縮することができる。
【００２１】
請求項７記載の発明によれば、各熱交換パイプの中心を通る中心線上に孔が形成されているので、熱交換パイプの真上で霜が分断される。これによって、中心線からずれた位置に孔が形成されている場合に比べて、熱交換パイプの上部に霜が残ることが抑制され、フィンの除霜を効率よく行うことができる。したがって、除霜時間を短縮することができる。
【００２２】
請求項８記載の発明によれば、熱交換パイプ間に垂直方向に延びる長方形孔が形成されているので、円孔など他の形状の孔が形成されている場合に比べて、熱交換パイプ間での霜の分断を促進することが可能となる。これによって、熱交換パイプの上部に霜が残ることが一層抑制され、フィンの除霜を一層効率よく行うことができる。したがって、除霜時間を短縮することができる。
【００２３】
請求項９記載の発明によれば、熱交換器のフィンにおける空気流の入口側端部に滑落促進機構が設けられているので、除霜運転を行うとき、入口側端部に付着している霜をスムーズに滑落させることができる。したがって、除霜時間を短縮することができる。
【発明を実施するための最良の形態】
【００２４】
以下、本発明の冷凍装置の実施形態を、図面を参照しながら説明する。以下の説明では、冷凍装置の一種であるヒートポンプ方式の空気調和装置について説明する。
（第１の実施形態）
図１は、本発明の第１の実施形態である空気調和装置１に用いられる室外側熱交換器２の断面図であり、図２は空気調和装置１の冷媒回路図である。
【００２５】
空気調和装置１では、図２に示すように、室外側熱交換器２、膨張弁９、室内側熱交換器１０、四路切換弁１１及び圧縮機１２が冷媒配管で接続されて冷媒回路が構成されている。冷房運転時には、四路切換弁１１は図２に示す実線側に設定される。この状態で、圧縮機１２から吐出した冷媒は、四路切換弁１１、室外側熱交換器２、膨張弁９、室内側熱交換器１０、四路切換弁１１の順番で循環して圧縮機１２に吸入される。このような冷媒の循環によって、室外側熱交換器２は凝縮器として動作し、室内側熱交換器１０は蒸発器として動作する。凝縮器として動作する室外側熱交換器２では、ガス冷媒が室外空気と熱交換を行って液冷媒になり、これによって冷媒は室外空気に対して放熱する。蒸発器として動作する室内側熱交換器１０では、冷媒が室内空気と熱交換を行って蒸発してガス冷媒になり、これによって室内空気は冷媒によって吸熱されて冷却される。
【００２６】
一方、暖房運転時には、四路切換弁１１は図２に示す破線側に設定される。この状態で、圧縮機１２から吐出した冷媒は、四路切換弁１１、室内側熱交換器１０、膨張弁９、室外側熱交換器２、四路切換弁１１の順番で循環して圧縮機１２に吸入される。このような冷媒の循環によって、室内側熱交換器１０が凝縮器として動作し、室外側熱交換器２が蒸発器として動作する。凝縮器として動作する室内側熱交換器１０では、ガス冷媒が室内空気と熱交換を行って凝縮し、これによって室内空気は冷媒からの放熱によって加熱される。蒸発器として動作する室外側熱交換器２では、冷媒は室外空気と熱交換を行って蒸発してガス冷媒になり、これによって冷媒は室外空気から吸熱する。
【００２７】
また、除霜運転は、暖房運転時に一定時間冷媒を逆サイクルで循環させるリバース方式で行われる。つまり、四路切換弁１１を実線側に設定し、圧縮機１２から吐出した冷媒を、四路切換弁１１、室外側熱交換器２、膨張弁９、室内側熱交換器１０、四路切換弁１１の順番で循環させる。これによって、室外側熱交換器２は凝縮器として動作し、冷媒から放熱されるので、霜が融解する。
【００２８】
室外側熱交換器２は、図１に示すように、いわゆるクロスフィンアンドチューブ型熱交換器であり、熱交換面を形成する多数のプレートフィン３を互いに間隔をあけて空気流の流通方向４に直交する方向に沿って並べると共に、これらのプレートフィン３に対して、内部を冷媒が流通する熱交換パイプ５を貫通させて構成されている。
【００２９】
室外側熱交換器２では、プレートフィン３は、長手方向が上下方向に平行になるように配置されている。プレートフィン３を貫通する熱交換パイプ５は、プレートフィン３の一端部から他端部まで長手方向に沿って等間隔に配置されている。なお、プレートフィンは、フラットフィン、スリットフィン、ワッフルフィンなど、板状のフィンを全て含むものである。
【００３０】
本実施形態では、室外側熱交換器２のプレートフィン３における空気流の入口側端部は、空気流の流通方向４の上流側に向かって突出する断面形状が略三角形状の突部６を垂直方向に多数配列してなる波型形状である。具体的には、略三角形状の突部６は、熱交換パイプ５ごとに対応して形成されると共に、突部６における上側の傾斜面６ａの長さＬａが下側の傾斜面６ｂの長さＬｂよりも大きくなるように形成されている。
【００３１】
突部６の各種寸法、及び突部６と熱交換パイプ５との位置関係は、特に制限はないが、熱交換性能が極端に低くならないような値に設定する必要がある。
突部６の各種寸法としては、上述した上側の傾斜面６ａの長さＬａ及び下側の傾斜面６ｂの長さＬｂ、上側の傾斜面６ａと垂直方向との成す角度θａ、突部６の上端と下端との距離Ｌｃ、突部６の突出長さＨなどがある。これらの寸法は、霜をスムーズに下方に案内できると共に、熱交換性能が極端に低くならないような値に設定する必要がある。なお、本実施形態では、１つの熱交換パイプ５に対して１つの突部６を対応させて形成しているので、突部６の上端と下端との距離Ｌｃは、熱交換パイプ５の段ピッチＰＰと同じ値に設定されている。
【００３２】
突部６と熱交換パイプ５との位置関係を規定する寸法としては、垂直方向の位置を規定する距離Ｗ１と、水平方向の位置を規定する距離Ｗ２とがある。距離Ｗ１は、突部６の下端とその下端の上方に位置する熱交換パイプ５の中心５ａを通る水平方向の直線ｃ１との距離である。距離Ｗ２は、突部６の上端と下端とを結ぶ直線ｃ２と、各熱交換パイプ５の中心５ａを通る中心線Ｍとの距離である。これらの寸法は、主として熱交換性能が極端に低くならないような値に設定する必要がある。
【００３３】
図３は、除霜運転時の室外側熱交換器２における除霜状態を示す模式図である。図３（ａ）に示すように、室外側熱交換器２のプレートフィン３における空気流の入口側端部は、空気流上流側に向かって突出する略三角形状の突部６を垂直方向に多数配列してなる波型形状であるので、室外側熱交換器２が蒸発器として動作するとき、入口側端部での霜７は、多数の突部６にそれぞれ付着する。このように霜７が付着しやすい入口側端部では、霜７が多数の突部６に分離して付着することになるので、霜７がかたまって付着している場合に比べて、除霜運転時に霜７が融解しやすくなる。
【００３４】
さらに、略三角形状の各突部６における上側の傾斜面６ａは下方に向かって傾斜しているので、図３（ｂ）に示すように、上方から滑落してきた霜７を空気流上流側に向かって案内して滑落させることができる。特に、本実施形態では、略三角形状の突部６は熱交換パイプ５ごとに対応して形成されると共に、突部６における上側の傾斜面６ａの長さＬａが下側の傾斜面６ｂの長さＬｂよりも大きくなるように形成されているので、上側の傾斜面６ａを比較的長くすることができる。この形状では、滑落してくる霜７を傾斜面６ａに沿って案内する作用を強くすることができる。
【００３５】
このように上方から滑落してくる霜７は、突部６の上側の傾斜面６ａに沿ってスムーズに案内されて滑落し、最終的に図３（ｃ）に示されるように、プレートフィン３から霜７が取り除かれて除霜が完了する。
【００３６】
図４は、室外側熱交換器の他の形状を示す断面図である。図４に示す室外側熱交換器２ａでは、突部６の下端とその下端の上方に位置する熱交換パイプ５の中心５ａを通る水平方向の直線ｃ１との距離Ｗ１が、図１に示す室外側熱交換器２に比べて短く設定されている。距離Ｗ１以外は、室外側熱交換器２と同じ設定条件で形成されている。この室外側熱交換器２ａにおいても、室外側熱交換器２と同様に除霜を行うことができる。
【００３７】
上記実施形態によれば、以下のような効果を得ることができる。
（１）上記実施形態では、入口側端部を多数の突部６からなる波型形状にしたことによって各突部６に霜７が分離して付着するので、霜７が融解しやすくなり、さらに突部６の上側の傾斜面６ａによって霜７を案内して滑落させることができる。したがって、スムーズに霜７を滑落させることができるので、除霜時間を短縮することができる。
【００３８】
（２）上記実施形態では、略三角形状の突部６は熱交換パイプ５ごとに対応して形成されると共に、突部６における上側の傾斜面６ａの長さＬａが下側の傾斜面６ｂの長さＬｂよりも大きくなるように形成されているので、上側の傾斜面６ａを比較的長くすることができる。この形状では、滑落してくる霜７を傾斜面６ａに沿って案内する作用を強くすることができる。これによって、上方から滑落してくる霜７を上側の傾斜面６ａに沿ってスムーズに案内して滑落させることができるので、除霜時間を短縮することができる。
【００３９】
（第２の実施形態）
次に、本発明の第２の実施形態を、図５及び図６を参照しながら説明する。なお、第２の実施形態は、第１の実施形態の室外側熱交換器２の構成を変更したものであるため、同様の部分についてはその詳細な説明を省略する。
【００４０】
図５は、第２実施形態に用いられる室外側熱交換器２ｂの構成を示す断面図である。本実施形態でも、室外側熱交換器２のプレートフィン３における空気流の入口側端部は、空気流の流通方向４の上流側に向かって突出する断面形状が略三角形状の突部６を垂直方向に多数配列してなる波型形状である。具体的には、略三角形状の突部６は、熱交換パイプ５の段ピッチＰＰに対して複数個（図５では４個）含まれるように形成されており、各突部６における２つの傾斜面６ａ，６ｂの長さＬａ，Ｌｂがほぼ等しくなるように形成されている。
【００４１】
突部６の各種寸法、及び突部６と熱交換パイプ５との位置関係は、第１実施形態と同様に特に制限はないが、熱交換性能が極端に低くならないような値に設定する必要がある。
図６は、除霜運転時の室外側熱交換器２ｂにおける除霜状態を示す模式図である。図６（ａ）に示すように、室外側熱交換器２ｂのプレートフィン３における空気流の入口側端部は、空気流上流側に向かって突出する略三角形状の突部６を垂直方向に多数配列してなる波型形状であるので、室外側熱交換器２ｂが蒸発器として動作するとき、入口側端部での霜７は、多数の突部６にそれぞれ付着する。このように霜７が付着しやすい入口側端部では、霜７が多数の突部６に分離して付着することになるので、霜７が固まって付着している場合に比べて、図６（ｂ）に示すように、除霜運転時に霜７が融解しやすくなる。特に、本実施形態では、略三角形状の突部６は、熱交換パイプ５の段ピッチＰＰに対して４個含まれるように形成されており、各突部６における２つの傾斜面６ａ，６ｂの長さＬａ，Ｌｂがほぼ等しくなるように形成されているので、比較的小さく形が均一な突部６を多数形成することができる。この形状では、霜を分離して付着させる作用を強くすることができる。
【００４２】
このように多数の突部６に付着した霜７は、分断されているので融解するのが速く、最終的に図６（ｃ）に示されるように、プレートフィン３から霜７が取り除かれて除霜が完了する。
【００４３】
上記実施形態によれば、以下のような効果を得ることができる。
（１）上記実施形態では、入口側端部を多数の突部６からなる波型形状にしたことによって各突部６に霜７が分離して付着するので、霜７が融解しやすくなり、したがって、スムーズに霜７を滑落させることができるので、除霜時間を短縮することができる。
【００４４】
（第３の実施形態）
次に、本発明の第３の実施形態を、図７を参照しながら説明する。なお、第３の実施形態は、第１実施形態及び第２実施形態の室外側熱交換器の構成を変更したものであるため、同様の部分についてはその詳細な説明を省略する。
【００４５】
図７は、本発明の第３実施形態に用いられる室外側熱交換器の構成を示す断面図である。本実施形態では、垂直方向に複数段配列されている熱交換パイプ列の熱交換パイプ５間に、垂直方向に延びる長方形孔８が形成されている。長方形孔８は、各熱交換パイプ５の中心５ａを通る中心線Ｍ上に形成されている。図７（ａ）に示される室外側熱交換器２ｃは、第１実施形態の室外側熱交換器２に長方形孔８を形成したものであり、図７（ｂ）に示される室外側熱交換器２ｃは、第２実施形態の室外側熱交換器２ｄに長方形孔８を形成したものである。
【００４６】
プレートフィン３に長方形孔８を形成したことによって、熱交換パイプ５間の霜７を分断することができる。つまり、除霜運転によって霜７が融解し始めると、霜７が下方に落ち始める。このとき、霜７はプレートフィン３における熱交換パイプ５の上流側部位と下流側部位とを滑落していくが、熱交換パイプ５間の霜７は長方形孔８によって上流側と下流側とに分断されて滑落していく。
【００４７】
なお、熱交換パイプ５間に形成される孔は、垂直方向に延びる長方形孔８に限らず、垂直方向に延びる楕円形孔や円形孔など、他の形状であってもよい。
上記実施形態によれば、図７（ａ）に示される室外側熱交換器２ｃでは、第１実施形態と同様な効果が得られ、図７（ｂ）に示される室外側熱交換器２ｄでは、第２実施形態と同様な効果が得られる。さらに本実施形態では、プレートフィン３に長方形孔８を形成したことによって、以下のような効果を得ることができる。
【００４８】
（１）プレートフィン３における熱交換パイプ５間には長方形孔８が形成されているので、除霜運転時にはプレートフィン３における長方形孔８の周辺は他の部位に比べて温度が高くなる。したがって、除霜運転によってプレートフィン３に付着した霜７が融解して下方に滑落していくとき、長方形孔８の周辺では霜７が融解して分断される。つまり、熱交換パイプ５間の霜７は長方形孔８によって分断されて下方に滑落していく。これによって、熱交換パイプ５の上部に霜７が残ることが抑制され、プレートフィン３の除霜を効率よく行うことができる。したがって、除霜時間を短縮することができる。
【００４９】
（２）各熱交換パイプ５の中心５ａを通る中心線Ｍ上に長方形孔８が形成されているので、熱交換パイプ５の真上で霜７が分断される。これによって、中心線Ｍからずれた位置に長方形孔８が形成されている場合に比べて、熱交換パイプ５の上部に霜が残ることが抑制され、プレートフィン３の除霜を効率よく行うことができる。
【００５０】
（３）熱交換パイプ５間に垂直方向に延びる長方形孔８が形成されているので、円孔など他の形状の孔が形成されている場合に比べて、熱交換パイプ５間での霜７の分断を促進することが可能となる。これによって、熱交換パイプ５の上部に霜７が残ることが抑制され、プレートフィン３の除霜を効率よく行うことができる。
【００５１】
なお、上記の第１〜第３実施形態は以下のように変更してもよい。
・上記各実施形態では突部６は断面形状が三角形であり、突部６の先端や突部６間の接続部分は直線的・鋭角的に形成されているが、突部６の先端や突部６間の接続部分は円弧状・曲線状に形成されてもよい。また傾斜面６ａ，６ｂも直線状に形成されているが、円弧状・曲線状に形成してもよい。
【００５２】
・プレートフィン３に滑水性及び撥水性を有する表面処理を施してもよい。滑水性及び撥水性を有する表面処理は、滑水性及び撥水性を有する塗膜を形成することによって行うことができる。滑水性及び撥水性を有する表面処理を施したことによって、除霜運転によって融解した霜７を下方にスムーズに滑落させることができると共に、水滴も下方にスムーズに流下させることができる。これによって、霜や水滴が残留することを抑制してプレートフィン３の除霜を一層効率よく行うことができる。したがって、除霜時間を短縮することができる。
【００５３】
・プレートフィン３としてワッフルフィンを用いてもよい。ワッフルフィンを用いた場合は、ワッフルフィンにおける波型形状によって、融解した霜７や水滴が下方に滑落・流下するのが促進されるので、霜７や水滴が残留することを抑制してフィンの除霜を一層効率よく行うことができる。したがって、除霜時間を短縮することができる。
【００５４】
・上記実施形態では、複数段１列の熱交換パイプ５を有する室外側熱交換器２の場合を説明したけれども、複数段複数列の熱交換パイプ５を有する室外側熱交換器の場合でも同様に実施することができる。例えば、プレートフィン３を空気流の流通方向４に直交する方向に沿って並べられてなるフィン列（図１参照）が２列以上配列されている熱交換器に対しても同様に実施することができる。この場合は、１列目のフィン列のプレートフィン３の入口側端部のみに突部６を形成し、２列目以降のフィン列のプレートフィン３には突部６を形成しない。
【００５５】
・上記実施形態では、リバース方式で除霜運転を行うようにしたが、ホットガスバイパス方式で除霜運転を行うようにしてもよい。
・上記実施形態では、除霜運転時に霜の滑落を促進する滑落促進機構として、断面形状が略三角形状の突部６を垂直方向に多数配列してなる波型形状について説明したけれども、波型形状に限られるものではない。例えば、霜７を流通方向４の上流側に案内して滑落させる傾斜面６ａを有する形状や、霜７を分離させて付着させることができる形状などが、滑落促進機構に含まれる。
【００５６】
上記各実施形態では、冷凍装置の一種であるヒートポンプ方式の空気調和装置を例にとり説明したけれども、たとえば冷蔵庫や冷凍庫に本発明を適用してもよい。
【産業上の利用可能性】
【００５７】
本発明は、例えば、家庭用及び業務用の空気調和装置、家庭用及び業務用の冷凍庫、家庭用及び業務用の冷蔵庫、家庭用及び業務用の給湯装置などの除霜を必要とする装置に有用である。
【図面の簡単な説明】
【００５８】
【図１】本発明の第１の実施形態である空気調和装置１に用いられる室外側熱交換器２の断面図。
【図２】空気調和装置１の冷媒回路図。
【図３】（ａ）〜（ｃ）は除霜運転時の室外側熱交換器２における除霜状態を示す模式図。
【図４】第１実施形態に用いられる室外側熱交換器２ａの構成を示す断面図。
【図５】第２実施形態に用いられる室外側熱交換器２ｂの構成を示す断面図。
【図６】（ａ）〜（ｃ）は除霜運転時の室外側熱交換器２ｂにおける除霜状態を示す模式図。
【図７】（ａ）は第３実施形態に用いられる室外側熱交換器２ｃの構成を示す断面図、（ｂ）は室外側熱交換器２ｄの構成を示す断面図。
【図８】（ａ）〜（ｄ）は除霜運転時の従来の熱交換器における除霜状態を示す模式図。
【符号の説明】
【００５９】
１…空気調和装置、２，２ａ，２ｂ，２ｃ，２ｄ…室外側熱交換器、３…プレートフィン、４…流通方向、５…熱交換パイプ、５ａ…中心、６…突部、６ａ…上側の傾斜面、６ｂ…下側の傾斜面、７…霜、８…長方形孔、９…膨張弁、１０…室内側熱交換器、１１…四路切換弁、１２…圧縮機、Ｌａ…上側の傾斜面の長さ、Ｌｂ…下側の傾斜面の長さ、Ｍ…中心線、ＰＰ…熱交換パイプの段ピッチ
【図１】
2006046698.tif 000003
【図２】
2006046698.tif 000004
【図３】
2006046698.tif 000005
【図４】
2006046698.tif 000006
【図５】
2006046698.tif 000007
【図６】
2006046698.tif 000008
【図７】
2006046698.tif 000009
【図８】
2006046698.tif 000010